(57)【要約】【課題】遊技領域において入賞口に至る遊技球の動きが変化に富んだ弾球遊技機を提供する。【解決手段】遊技領域８ａの略中央に設けられた特別入賞口１４の前方に、特別入賞口１４を開閉する板状の扉３０を設け、下方には、パレット３６に載った遊技球を特別入賞口１４に入賞する位置まで揚送する揚送装置３１を設ける。ソレノイド駆動装置４０によってソレノイド３３，４２が通電されると、扉３０が回動して特別入賞口１４を開放するとともにパレット３６が上昇し、パレット３６に載った遊技球は下方から上方へ移動した後に、パレット３６の傾斜に沿って転落して特別入賞口１４に入賞する。【選択図】        図３
2006263132.tif 000002
【特許請求の範囲】
【請求項１】
遊技球が流下する遊技領域と、
前記遊技領域においてパレットを上下方向に往復運動させて遊技球を揚送する揚送装置と、
前記揚送装置によって揚送された遊技球が前記パレットから転落して入賞する入賞口とを備えたことを特徴とする弾球遊技機。
【請求項２】
前記パレットは、前記入賞口が下流側となるように傾斜していることを特徴とする請求項１記載の弾球遊技機。
【発明の詳細な説明】
【技術分野】
【０００１】
本発明は、パチンコ店などの遊技場に設置して使用されるパチンコ機等の弾球遊技機に関するものである。
【背景技術】
【０００２】
遊技場に設置されるパチンコ機は、基体となる本体基部に、遊技領域が設けられた遊技盤の他に、前記遊技領域に向けて遊技球を発射する発射装置や、遊技を行って入賞を得た場合に、賞球となる遊技球を払い出す払出装置等が組み付けられた構成となっている。本体基部の前面側には、前記遊技領域を遊技者に観察させる窓部を備えた前面扉が設けられている。遊技盤の遊技領域には、障害釘、風車等の流下する遊技球の流下方向を変化させる障害物の他に、始動入賞口、通常入賞口及びアタッカ等の入賞口が設けられているものが一般的である。最近では、遊技領域のほぼ中心にセンター役物と呼ばれる構造物が設けられていることが多い。このセンター役物には、例えば液晶表示装置からなる可変表示装置が設けられている。この可変表示装置は、「大当たり」状態へ移行するか否かの抽選の結果を遊技者に報知する前の図柄の可変表示や、該抽選の結果を確定報知する図柄の停止表示を行う他に、確定報知の停止表示を行ってから次回の可変表示を行うまでの間、例えばアニメーションを用いたデモンストレーション表示を行う。
【０００３】
パチンコ機においては、遊技球が入賞口に入賞するか否かといった興趣とともに、遊技領域における変化に富んだ遊技球の動きによる興趣を遊技者に付与できるよう様々な工夫が凝らされている。また、大入賞口に入賞した役物内の遊技球を下方から上方に揚送する揚送装置が特許文献１などで提案されている。
【特許文献１】特開２００３−１２６４１６
【発明の開示】
【発明が解決しようとする課題】
【０００４】
上記のような弾球遊技機では、入賞口に入賞するに至る遊技球に動きは、遊技領域の上方から下方へ流下するのみで、変化に乏しいものであった。
【０００５】
本発明は、遊技領域において入賞口に至る遊技球の動きが変化に富んだ弾球遊技機を提供することを目的とする。
【課題を解決するための手段】
【０００６】
本発明の弾球遊技機は、遊技球が流下する遊技領域と、前記遊技領域においてパレットを上下方向に往復運動させて遊技球を揚送する揚送装置と、前記揚送装置によって揚送された遊技球が前記パレットから転落して入賞する入賞口とを備えたことを特徴とするものである。
【０００７】
また、前記パレットは、前記入賞口が下流側となるように傾斜していることが好適である。
【発明の効果】
【０００８】
本発明の弾球遊技機によれば、揚送装置のパレットに載った遊技球は下方から上方へ移動した後に入賞口に入賞するので、遊技領域において入賞口に至る遊技球の動きを変化に富んだものとすることができる。なお、パレットの形状は、遊技球を載せることができるものであれば、例えば矩形の板とするなど、適宜の形状として良い。
【０００９】
また、パレットは、入賞口が下流側となるように傾斜していることにより、揚送装置によって揚送された遊技球が、パレットから入賞口のない方向へ転落するのを防ぐことができる。
【発明を実施するための最良の形態】
【００１０】
図１に、本発明を用いたパチンコ機（弾球遊技機）２の外観を示す。パチンコ機２は、基体となる本体基部３に、上部扉４及び下部扉５からなる前面扉６が回動自在となるように、図示しないヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技盤８上に形成された遊技領域８ａを流下する遊技球や、遊技領域８ａに設けられた構造物は、上記開口４ａを遮蔽するガラス７を介して視認される。また、本体基部３は固定枠９を介して遊技場等に固定される。なお、以下の記述において、開口４ａがある側をパチンコ機２の前方とする。
【００１１】
遊技領域８ａには、図示しない障害釘、風車等が設けられる他に、遊技球が入賞する入賞口として、スルーチャッカー１０、始動入賞口１１、通常入賞口１２、アタッカ１３及び特別入賞口１４が設けられている。また、遊技領域８ａの略中央には、センター役物１５と呼ばれる構造物が設けられ、その略中央には図柄表示装置１６が設けられている。なお、遊技領域８ａを流下する遊技球は、障害釘及び風車等により弾かれながら流下し、上記入賞口のいずれかへと入賞するか、又は入賞せずにアウト口１７へと導かれる。始動入賞口１１、通常入賞口１２、アタッカ１３及び特別入賞口１４のいずれかに遊技球が入賞すると、入賞口のそれぞれに予め設定されている個数の遊技球が、本体基部３内に設けられた払出装置１８によって払出口１９から賞球として払い出される。
【００１２】
下部扉５には、操作ハンドル２５が設けられている。この操作ハンドル２５は、遊技を行う際に回動操作される。この操作ハンドル２５を操作すると、内部に設けられた打出し用ボリュームの出力値が変化し、発射装置２６による遊技球の打ち出し強さが変化する。また、遊技領域８ａの下方となる位置に、前方に突出する供給皿２８が設けられている。供給皿２８には、遊技を開始する際に遊技者に貸し出される遊技球が供給される他に、遊技領域８ａを流下する遊技球が入賞口のいずれかに入賞したことを受けて、払出口１９から払い出される賞球が受容される。
【００１３】
特別入賞口１４は遊技領域８ａの略中央に設けられている。特別入賞口１４の前方には、特別入賞口１４を開閉する板状の扉３０（図３に図示）が設けられ、下方には、遊技球を揚送する揚送装置３１（図２に図示）が設けられており、扉３０が開いた状態で、揚送装置３１によって遊技球が揚送されると、この遊技球が特別入賞口１４に入賞する。
【００１４】
図２及び図３に示すように、揚送装置３１は、移動部３２、プッシュ型ソレノイド３３及び２つの軸受３４から構成されている。移動部３２は、２本の腕部３５ａを前方に突き出した略コ字状の支持梁３５と、腕部３５ａそれぞれの先端上に渡って固着された板状のパレット３６と、支持梁３５の奥側上面の左右両側部に１つずつ立てて固着された円柱状の軸部３７とから構成されている。なお、パレット３６を腕部３５ａに固着する方法及び軸部３７を支持梁３５に固着する方法は、接着や螺着など適宜の方法を用いれば良い。また、移動部３２は、支持梁３５、パレット３６及び軸部３７が一体として形成されるものであっても良い。軸部３７はそれぞれ軸受３４に上下方向に移動自在に挿通されおり、移動部３２は軸受３４に沿って上下方向にのみ移動できるようになっている。
【００１５】
移動部３２は、支持梁３５の奥側下面がソレノイド３３のプランジャー３３ａの上端に当接するまで、自重によって下方に移動する。ソレノイド３３に通電がないときにはプランジャー３３ａは下方に引き込まれており、通電があるときにはプランジャー３３ａは上方に押し出される。プランジャー３３ａが押し出されると、移動部３２は上方に付勢され、プランジャー３３ａとともに上方に移動する。即ち、移動部３２の上下方向の移動範囲は、プランジャー３３ａの上下方向の移動範囲と等しくなっている。
【００１６】
パレット３６は、遊技球を１つ載せることができる上面を備え、移動部３２が上方に移動したときに、パレット３６の後方にある特別入賞口１４が下流となるように前方より後方が低く傾斜している。また、パレット３６の左右両側部の上面には、パレット３６に載った遊技球が左右方向へ転落することを防ぐ略直方体の突片３６ａが設けられている。また、パレット３６の上面には、遊技球が載る際のバウンドによる転落や衝撃による破損を防止するために、粘弾性体やゴム等の衝撃吸収材をシート状にした衝撃吸収シート３８が貼付されている。
【００１７】
揚送装置３１は、腕部３５ａのそれぞれが、遊技盤８の特別入賞口１４の下方に設けられた上下方向に平行な２つの長穴８ｂに上下方向に移動自在に挿通され、パレット３６が遊技盤８の前側となり、支持梁３５の奥側、軸部３７、ソレノイド３３及び軸受３４が遊技盤８の裏側となるように配置される。なお、ソレノイド３３及び軸受３４は、ブラケット等を用いた適宜の方法で遊技盤８の裏側に固定すれば良い。
【００１８】
図３及び図４に示すように、扉３０は、開閉装置４０によって開閉される。開閉装置４０は、軸４１、プッシュ型ソレノイド４２及び軸受４３から構成されている。軸４１は前後に移動自在に軸受４３に挿通されており、前端が扉３０の裏面に当接し、後端がソレノイド４２のプランジャー４２ａの前端に当接する。扉３０は上部左右に軸受部３０ａ，３０ｂが設けられており、軸受部３０ａと軸受部３０ｂの間には軸穴が同軸となるように軸受４４が配置され、軸受部３０ａ，３０ｂ及び軸受４４にはピン４５が挿通される。ピン４５は軸受部３０ａ，３０ｂまたは軸受４４のいずれか一方に固着されており、扉３０はピン４５を回動軸として上下方向に回動する。
【００１９】
ソレノイド４２に通電がないときにはプランジャー４２ａは後方に引き込まれており、通電があるときにはプランジャー４２ａは前方に押し出される。プランジャー４２ａが押し出されると、軸４１は前方に付勢されて扉３０の裏面を前方に押圧し、軸４１が前方に移動するに伴って扉３０が上方に回動して特別入賞口１４を開く。プランジャー４２ａが後方に引き込まれているときには、扉３０は自重によって下方に回動し、軸４１を後方に移動させながら特別入賞口１４を閉じる。
【００２０】
開閉装置４０は、軸４１が、遊技盤８の特別入賞口１４の上方に設けられた穴８ｃに前後方向に移動自在に挿通され、ソレノイド４２及び軸受４３が遊技盤８の裏側となるように配置される。なお、ソレノイド４２及び軸受４３は、ブラケット等を用いた適宜の方法で遊技盤８の裏側に固定すれば良い。また、軸受４４は遊技盤８の前面の、特別入賞口１４の上方に固着される。軸受４４を遊技盤８の前面に固着する方法は、接着や螺着など適宜の方法を用いれば良く、また、軸受４４と遊技盤８とが一体として形成されるものであっても良い。
【００２１】
揚送装置３１及び開閉装置４０のソレノイド３３，４２は、パチンコ機２の内部に設けられたソレノイド駆動装置５０によって通電制御されており、ソレノイド駆動装置５０は、パチンコ機２の全体を管制する主制御装置５１から入力される制御信号に応じてソレノイド３３，４２を通電制御する。
【００２２】
次に、上記構成のパチンコ機２の作用について説明する。図５（Ａ）に示すように、ソレノイド３３，４２が通電されていないときには、パレット３６は上下方向の移動範囲における下端に位置する。このとき、扉３０は特別入賞口１４を閉じており、遊技領域８ａを流下してきた遊技球５５は、パレット３６上に載ることができる。ソレノイド駆動装置５０によってソレノイド３３，４２が通電されると、図５（Ｂ）に示すように、扉３０が軸４１の移動に伴って開放され、パレット３６は上下方向の移動範囲の上端に移動する。このときパレット上に載せられた遊技球５５は上方に移動した後、パレット３６の傾斜に沿ってパレット３６から後方に転落して特別入賞口１４に入賞する。また、このとき、開放された扉３０は、上方から遊技領域８ａを流下してくる遊技球と、パレット３６上の遊技球５５とが衝突することを防ぐ。このように、揚送装置３２のパレット３６に載った遊技球５５は下方から上方へ移動した後に特別入賞口１４に入賞するので、遊技領域８ａにおいて入賞口に至る遊技球の動きを変化に富んだものとすることができる。
【００２３】
なお、主制御装置５１がソレノイド駆動装置５０に制御信号を入力する契機及び回数は、遊技において通常入賞口１２のいずれかに入賞があったときや、遊技において単位時間に払い出された賞球の総数が所定値に達していないときなど、遊技に基づく適宜の契機及び回数とすれば良く、例えば、スルーチャッカー１０に設けた通過検知センサが遊技球の通過を検知したことに応じて主制御装置５１が抽選を行い、抽選結果が当選であれば所定回数（例えば、２回）制御信号を入力するするようにしても良い。このようにすることによって、遊技が単調となることを防ぎ、遊技を興趣に富んだものとすることができる。
【００２４】
なお、上記実施形態では、揚送装置３１及び開閉装置４０の駆動にはソレノイド３３，４２を用いていたが、例えばモーターなど、適宜の駆動装置を用いて良い。また、駆動装置によっては、抽選の結果などに基づく速度制御を行ってパレット３６の上昇速度を変化させることができ、遊技領域８ａを流下してきた遊技球がパレット３６に載る成功率を変化させることができる。
【００２５】
なお、上記実施形態では、パレット３６は傾きを固定した状態で腕部３５ａの先端に固着されていたが、パレット３６が腕部３５ａの先端で傾動自在としても良い。図６に示すように、腕部３５ａの先端に圧電バイモルフ６０（厚み方向に分極された２枚の厚い圧電素子であって、内部に電極が埋め込まれ貼り合わせた構造物）を介してパレット３６を固着する。圧電バイモルフ６０は、電圧が印加されると上方に屈曲するように配置する。揚送装置３１を駆動しないときは、圧電バイモルフ６０に通電せず、図中２点鎖線で示すように、パレット３６は後方より前方が低く傾斜する。揚送装置３１を駆動するときは、圧電バイモルフ６０に通電し、図中実線で示すように、パレット３６は圧電バイモルフ６０が屈曲することによって持ち上げられ、前方より後方が低く傾斜する。このようにパレット３６を傾動させることによって、揚送装置３１を駆動しないときには遊技球がパレット３６に載らないようにすることができ、例えば、パチンコ機２の電源断時などに遊技球がパレット３６に載ったまま放置されることを防げる。なお、パレット３６を傾動させる構成は上記のものに限られず、揚送装置３１を駆動しないときにパレット３６の後方より前方を低く傾斜させるものであれば、例えば、ソレノイド等を駆動源とするギア機構を用いるなど、適宜の構成として良い。
【図面の簡単な説明】
【００２６】
【図１】本発明を実施したパチンコ機の外観を示す斜視図である。
【図２】揚送装置を示す分解斜視図である。
【図３】揚送装置、特別入賞口、扉及び開閉装置の関係を示す断面図である。
【図４】開閉装置を示す分解斜視図である。
【図５】揚送装置によって揚送される遊技球を示す正面図である。
【図６】パレットの傾動を説明する説明図である。
【符号の説明】
【００２７】
２  パチンコ機（弾球遊技機）
８ａ  遊技領域
１４  特別入賞口
３６  パレット
３１  揚送装置
【図１】
2006263132.tif 000003
【図２】
2006263132.tif 000004
【図３】
2006263132.tif 000005
【図４】
2006263132.tif 000006
【図５】
2006263132.tif 000007
【図６】
2006263132.tif 000008